(57)【要約】【課題】車両に燃料を補給する燃料補給システムに関し、無人のガソリンスタンドでも、利用者にとって利便性をよくすることを目的とする。【解決手段】燃料補給システム１は、車両２に装着したＲＦＩＤタグ５の識別情報をリーダライタ６により読み取って燃料補給サービスをする燃料補給装置４を備え、ＲＦＩＤタグ５は車両２の補給口を保護する蓋の裏面に設けられている。これにより、ガソリンスタンド１００などに車両２が来場したときに、車両２に取り付けられているＲＦＩＤタグ５をリーダライタ６により読み取り、ＲＦＩＤタグ５から取得される識別情報に基づいて燃料補給サービスを制御する。例えば車両特定情報、車両２の燃料情報、補給量や補給場所の補給情報または補給量に応じた特典情報などに応じた燃料補給サービスを無人で行う。【選択図】図１
2010163187.tif 000002
【特許請求の範囲】
【請求項１】
車両に装着したＲＦＩＤタグの識別情報をリーダライタにより読み取って燃料補給サービスをする燃料補給装置を備えた燃料補給システムであって、
前記ＲＦＩＤタグは前記車両の補給口を保護する蓋の裏面に設けたことを特徴とする燃料補給システム。
【請求項２】
前記識別情報として、前記車両を特定するための車両特定情報、補給場所と補給量とを示す補給情報および前記補給量に応じた特典情報の少なくとも一つを記録していることを特徴とする請求項１に記載の燃料補給システム。
【請求項３】
前記ＲＦＩＤタグはタグアンテナ部とタグ回路部とから構成され、前記タグアンテナ部を実装している基板よりも肉厚の樹脂層を介して前記蓋の内側に貼付されていることを特徴とする請求項１または請求項２に記載の燃料補給システム。
【請求項４】
前記燃料補給装置の前面に前記車両があるか否かを検出する車両検出部を設け、
前記車両検出部により前記車両が検出されたときに前記燃料補給サービスを開始する構成としたことを特徴とする請求項１から請求項３のいずれか１項に記載の燃料補給システム。
【請求項５】
前記燃料補給装置はポイント計算部とポイント発行部とを備え、
前記ポイント計算部は補給量計測部により計数された前記補給量に応じてサービスポイント値を算出した後、算出して得た前記サービスポイント値と前記ＲＦＩＤタグの前記識別情報に記録されている前記特典情報の発行ポイント値とを加算した新たな発行ポイント値を算出し、
前記ポイント発行部は新たな発行ポイント値を前記リーダライタを介して前記ＲＦＩＤタグの前記特典情報として書き込みする構成としたことを特徴とする請求項２から請求項４のいずれか１項に記載の燃料補給システム。
【請求項６】
前記燃料補給装置は景品指示部を備え、この景品指示部と景品配布装置とが電気的に接続され、前記景品指示部は前記発行ポイント値が景品発行ポイント値以上になったときに前記景品配布装置に景品配布の指示を出力する構成としたことを特徴とする請求項５に記載の燃料補給システム。
【請求項７】
前記燃料補給装置は車両照合部と通信部とを有し、
前記車両照合部は、前記通信部を介してネットワークに電気的に接続されている所定の場所に設置された管理装置から車両情報を取得し取得された車両情報と前記車両特定情報とを照合し、前記車両情報と前記車両特定情報とが一致した場合に前記通信部および前記ネットワークを介して前記管理装置に前記燃料補給装置の所在情報を通報する構成としたことを特徴とする請求項２から請求項６のいずれか１項に記載の燃料補給システム。
【請求項８】
前記所定の場所は、車両販売会社または警察署であることを特徴とする請求項７に記載の燃料補給システム。
【請求項９】
前記車両照合部により取得された前記車両情報に盗難車であることを示す情報が含まれている場合は補給部をロックし、前記燃料の補給を停止させる構成としたことを特徴とする請求項７または請求項８に記載の燃料補給システム。
【発明の詳細な説明】
【技術分野】
【０００１】
本発明は、車両に燃料を補給する燃料補給システムに関する。
【背景技術】
【０００２】
一般に、ガソリンスタンドにおいて車両に燃料を補給する際には、ガソリンスタンドの店員が来場してきた車両を燃料補給装置の前まで誘導し、利用者であるドライバに補給する油の種類、補給量、支払い方法などを尋ねてその指示に従って店員が燃料を補給していた。これにより、店員はガソリン車にはガソリン（レギュラーまたはハイオク）を補給し、ディーゼル車には軽油を補給していた。
【０００３】
このような中、従来の燃料補給システムでは、燃料の油種間違えを防止する技術、店員が静電気を帯びた状態で補給するのを防止する技術などが提案され、不慣れな者であっても人員的なミスが原因で発生する事故を防止し、安全性を高めていた。これにより、不慣れな者でも安全な燃料補給作業を行うことができる環境が整いつつある（例えば、特許文献１、特許文献２参照）。
【特許文献１】特開２００８−８６５９７号公報
【特許文献２】特開２００８−１５００９０号公報
【発明の開示】
【発明が解決しようとする課題】
【０００４】
ところで上記の従来例の燃料補給システムでは、ガソリンスタンドには店員がいるため、この店員の誘導に従い車を燃料補給装置の前まで移動させるだけで燃料の補給を行うことができるので利用者にとって利便性がよかった。一方、店員が不在である無人のガソリンスタンドの場合、燃料補給作業を自ら行う必要があるので利用者にとって利便性が悪かった。
【０００５】
そこで本発明は、無人のガソリンスタンドでも、利用者にとって利便性をよくすることを目的とする。
【課題を解決するための手段】
【０００６】
この目的を達成するために本発明の燃料補給システムは、車両に装着したＲＦＩＤタグの識別情報をリーダライタにより読み取って燃料補給サービスをする燃料補給装置を備えたものであって、ＲＦＩＤタグは車両の補給口を保護する蓋の裏面に設けたことを特徴とする。このような構成により、所期の目的を達成するものである。
【発明の効果】
【０００７】
以上のように本発明の燃料補給システムは、車両に装着したＲＦＩＤタグの識別情報をリーダライタにより読み取って燃料補給サービスをする燃料補給装置を備えたものであって、ＲＦＩＤタグは車両の補給口を保護する蓋の裏面に設けたので、ガソリンスタンドなどに車両が来場したときに車両に取り付けられているＲＦＩＤタグをリーダライタにより読み取り、ＲＦＩＤタグから取得される識別情報に基づいて燃料補給サービスを制御することができ、例えば車両特定情報、車両の燃料情報、補給量や補給場所の補給情報または補給量に応じた特典情報などに応じた燃料補給サービスを無人で行うことができる。これにより、無人のガソリンスタンドであっても利用者にとって利便性をよくすることができる。
【発明を実施するための最良の形態】
【０００８】
以下、本発明の実施の形態について、図面を参照しながら説明する。
【０００９】
（実施の形態）
まず、図１〜図５を参照しながら、本発明の実施の形態における燃料補給システムについて説明する。ここでは、無人のガソリンスタンドで車両に燃料の補給サービスを行う場合を例として説明する。
【００１０】
図１は本発明の実施の形態における燃料補給システム１の概略構成図、図２は同燃料補給システム１におけるＲＦＩＤ（Ｒａｄｉｏ  Ｆｒｅｑｕｅｎｃｙ  ＩＤｅｎｔｉｆｉｃａｔｉｏｎ）タグ５の取り付け位置を示す配置図、図３は同燃料補給システム１におけるＲＦＩＤタグ５の構成を示す斜視図、図４は同燃料補給システム１に用いられるＲＦＩＤタグ５の識別情報の構成図、図５は同燃料補給システム１の回路ブロック図である。
【００１１】
図１、図２に示すように、燃料補給システム１は無人のガソリンスタンド１００に設置されているため、燃料を補給する際に利用者にとって利便性が悪くならないようにする必要がある。
【００１２】
そこで、本実施の形態の燃料補給システム１は、車両２に装着したＲＦＩＤタグ５の識別情報をリーダライタ６により読み取って燃料補給サービスをする燃料補給装置４を備え、ＲＦＩＤタグ５は車両２の補給口３ａを保護する蓋３ｂの裏面に貼付されている。
【００１３】
これにより、ガソリンスタンド１００などに車両２が来場したときに車両２に取り付けられているＲＦＩＤタグ５をリーダライタ６により読み取り、ＲＦＩＤタグ５から取得される識別情報に基づいて燃料補給サービスを制御することができ、例えば識別情報に燃料補給に係る各種情報を記録しておけば燃料補給サービスを無人で行うことができる。これにより、無人のガソリンスタンドであっても利用者にとって利便性をよくすることができる。識別情報の記録内容については後述する。
【００１４】
具体的には、燃料補給装置４は、車両２の補給口３ａから燃料を補給するための補給ノズル４ａ、補給ノズル４ａに燃料を補給するための補給部４ｂ、燃料の補給量を計測する補給量計測部４ｃ、計測して得た補給量を表示する表示部４ｄと、リーダライタ６により読み取られたＲＦＩＤタグ５の識別情報に基づいて燃料補給サービスを制御する制御部とを有する。制御部については後述する。
【００１５】
ノズル受け部４ｅの上側に燃料の種別を示すラベルが貼られており、使用する燃料のノズル受け部４ｅから補給ノズル４ａを取り外した後、利用者が車両２の補給口３ａに補給ノズル４ａを挿入して燃料を補給する。
【００１６】
補給部４ｂは、ノズル操作部４ｆの操作により補給ノズル４ａに燃料を補給する。
【００１７】
表示部４ｄには、案内メッセージ、各種選択メニュー、支払いの決済メニュー、補給量の設定メニューなどが表示される。表示部４ｄの表示画面は表面を指で触れることにより操作入力ができるタッチパネルから構成され、利用者が入力した操作情報を取り込むことができる。また、燃料補給装置４の前面には音声出力部であるスピーカ４ｇがあり、表示部４ｄの表示画面と併用して操作指示などを音声で出力する。
【００１８】
燃料補給装置４の上端部前面側にアンテナ８を設け、リーダライタ６はアンテナ８を介してＲＦＩＤタグ５を読み書きする。これにより、燃料補給装置４の前面にドライバである利用者などが立ってもリーダライタ６とＲＦＩＤタグ５との間の電波を遮ることがないので、リーダライタ６はＲＦＩＤタグ５を安定して読み書きすることができる。リーダライタ６の詳細な構成は後述する。
【００１９】
また、燃料補給装置４の上端部に車両検出部４ｈを配設している。車両検出部４ｈはカメラを備え、このカメラで撮影した複数の撮影画像を用いてガソリンスタンド１００に来場する車両２を検出する。車両検出部４ｈは複数の撮影画像の差分から車両２の動きを検出し、燃料補給装置４の前側に車両２が停止したことを検出する。なおカメラに代えて、赤外線により車両２を検出するようにしてもよい。この場合、車両２に向けて赤外の照射光を照射する照射部と車両２から反射する照射光を受光する受光部とを設け、照射光を検知する。
【００２０】
また、燃料補給装置４は景品配布装置９と電気的に接続されている。景品配布装置９は燃料補給装置４から操作指示され、この操作指示により景品を取り出すことができる。
【００２１】
次に図３、図４を参照しながら、ＲＦＩＤタグ５の構成について説明する。
【００２２】
図３に示すように、ＲＦＩＤタグ５は基板５ａの実装面５ｂにタグアンテナ部５ｃとタグ回路部５ｄとを備え、タグアンテナ部５ｃを実装している基板５ａより肉厚の樹脂層７を介して蓋３ｂの裏面に貼付されている。これにより、蓋３ｂが金属であっても、ＲＦＩＤタグ５が電波を受信または反射するときに蓋３ｂの影響を受けないようにしている。
【００２３】
また図４に示すように、タグ回路部５ｄのメモリ（図示せず）に識別情報５ｅを記憶保持している。識別情報５ｅとして車両２の燃料補給に係る情報を記録しておく。すなわち、識別情報５ｅとして、車両２を特定するための車両特定情報、車両２の燃料を識別するための燃料情報、補給量や補給場所を示す補給情報、補給量に応じた景品やポイントなどの特典情報が記録されている。
【００２４】
具体的には、車両特定情報として車体形式と車台番号が記録されている。車両２に補給する燃料情報としてガソリン（例えば、コード値が０）、ハイオク（例えば、コード値が１）、軽油（例えば、コード値が２）を識別する燃料コード値「０」〜「２」が記録されている。補給情報としてガソリンスタンド１００の場所である補給場所、補給量が記録されている。特典情報として景品などを発行するための発行ポイント値、発行場所が記録されている。
【００２５】
次に、図５を参照しながら、本実施の形態における燃料補給システム１の回路ブロック図について説明する。
【００２６】
図５に示すように、各ガソリンスタンド１００内に燃料補給システム１が配設されている。そして、燃料補給装置４は、通信部１２およびネットワーク１３を介して、石油元売会社１４内に設置されている管理装置１５、自動車販売会社１６内に設置されている管理装置１７、警察署１８内に設置されている管理装置１９にそれぞれ電気的に接続されている。
【００２７】
管理装置１５は各ガソリンスタンド１００で補給された各油種の補給量などを記憶したデータベース（以下、「ＤＢ」と記す）１５ａを管理している。管理装置１７は販売した車両２の車両情報などを記憶したＤＢ１７ａを管理している。管理装置１９は盗難車の車両情報などを記憶したＤＢ１９ａを管理している。
【００２８】
また燃料補給装置４は、識別情報５ｅに基づいて燃料補給サービスを制御する制御部１０を備え、制御部１０から操作指示を入出力部１１を介して景品配布装置９、補給部４ｂ、補給量計測部４ｃ、表示部４ｄおよびスピーカ４ｇに伝える。また、制御部１０は補給量計測部４ｃ、ノズル受け部４ｅ、ノズル操作部４ｆ、車両検出部４ｈおよび車両照合部４ｉからの操作情報や検知情報を入出力部１１を介して入力する。これにより、制御部１０は識別情報５ｅ、操作情報および検知情報に基づいて操作指示を入出力部１１を介して各部に出力し、燃料補給サービスを制御することができる。
【００２９】
制御部１０は、各種プログラム、パラメータなどのデータを記憶するリードオンリメモリ（以下、「ＲＯＭ」と記す）、データなどを一時記憶するランダムアクセスメモリ（以下、「ＲＡＭ」と記す）、プログラムを実行する中央処理装置（以下、「ＣＰＵ」と記す）より構成され、各部を制御する。制御部１０はＤＢ１０ａに接続されており、このＤＢ１０ａには車両２の情報、車両２ごとの燃料の補給量、補給場所情報、景品やサービスポイントなどの特典情報、補給時間など補給サービスに係る履歴情報が記憶される。
【００３０】
また燃料補給装置４はポイント計算部４ｊとポイント発行部４ｋとを有し、ポイント計算部４ｊは補給量計測部４ｃにより計数された補給量に応じてサービスポイント値を算出した後、リーダライタ６を介してＲＦＩＤタグ５の識別情報５ｅに記録されている特典情報の発行ポイント値を読み取り、算出して得たサービスポイント値と読み取りして得た発行ポイント値とを加算した新たな発行ポイント値を算出し、ポイント発行部４ｋは新たな発行ポイント値をリーダライタ６を介してＲＦＩＤタグ５の特典情報に書き込む。
【００３１】
また燃料補給装置４は景品指示部４ｍを備え、この景品指示部４ｍと景品配布装置９とが入出力部１１を介して電気的に接続され、景品指示部４ｍは発行ポイント値が景品を発行すべき景品発行ポイント値以上になったときに景品配布装置９に景品配布の指示を出力する。
【００３２】
また、燃料補給装置４は車両照合部４ｉと通信部１２とを備え、車両照合部４ｉは通信部１２を介してネットワーク１３に電気的に接続されている管理装置１７、１９から車両情報を取得し、取得された車両情報と識別情報５ｅの車両特定情報とを照合する。そして、車両照合部４ｉは車両情報と車両特定情報とが一致した場合に通信部１２およびネットワーク１３を介して管理装置１７、１９に燃料補給装置４の所在情報を通報する。さらに、制御部１０は車両照合部４ｉが取得した車両情報を読み取り、車両情報に盗難車であることを示す情報が含まれている場合は補給部４ｂをロックし、燃料の補給を停止させる。これにより、燃料補給装置４は、ガソリンスタンド１００内に係員が不在でも燃料補給を防止でき、盗難車を燃料不足にして早期発見ができる。なお、管理装置１７、１９がＤＢ１０ａに記憶されて履歴情報の車両特定情報を取得し、対象となる車両２の所在情報を特定するようにしてもよい。
【００３３】
一方、自動車販売会社１６は、車両２が修理を要する場合、燃料補給装置４に修理すべき車両２の車両情報を各ガソリンスタンド１００の燃料補給装置４それぞれに送信することで、修理すべき車両２が燃料を補給したガソリンスタンド１００の所在情報を取得する。これにより、自動車販売会社１６は回収メッセージなどを取得した所在情報にあるガソリンスタンド１００内の燃料補給装置４に送信しておけば、修理すべき車両２が来場したときに燃料補給装置４の表示部４ｄを介して警告メッセージなどを表示させて迅速に車両２を回収、修理するなど、修理サービスを向上させることができる。すなわち、利用者は自動車販売会社１６を訪れることなく回収、修理情報を得ることができ、利用者にとって利便性をさらに向上させることができる。
【００３４】
また石油元売会社１４は、管理装置１５によりネットワーク１３を介して燃料補給装置４のＤＢ１０ａにアクセスし、ＤＢ１０ａの履歴情報からガソリンスタンド１００内で補給されている車両２の燃料の補給量を把握することができる。これにより石油元売会社１４は、例えば、各ガソリンスタンド１００での燃料種ごとの補給量を積算した需要予測量を算出し、この需要予測量に応じた配給量を事前にリアルタイムに算出することができ、燃料が不足しているガソリンスタンド１００から優先的に燃料を配給するなど綿密な配給計画をリアルタイムに立案することができる。このため、利用者がいつガソリンスタンド１００を訪れても燃料不足を生じることはなくなり、安定した燃料補給サービスを提供することができる。
【００３５】
次にリーダライタ６について詳細に説明する。リーダライタ６は、図５に示すように、アンテナ８とのインピーダンスを整合させる整合部６ａ、サーキュレータ６ｂ、パワーアンプ６ｃ、ＲＦフロントエンド部６ｄ、信号処理部６ｅ、無線制御部６ｆを備えている。また、リーダライタ６の無線制御部６ｆは通信部１２、ネットワーク１３を介してガソリンスタンド１００外にある管理装置１５、１７、１９と通信を行う。
【００３６】
リーダライタ６はアンテナ８を介してＲＦＩＤタグ５と交信する。ＲＦＩＤタグ５のタグ回路部５ｄは記憶部（図示せず）を備え、この記憶部に後述する識別情報５ｅが記憶されている。
【００３７】
ＲＦフロントエンド部６ｄは、コマンドやデータを搬送する搬送波として、ＨＦ帯（例えば、１３．５６ＭＨｚ）、ＵＨＦ帯（例えば、９５２ＭＨｚ〜９５５ＭＨｚ）、マイクロ波帯（例えば、２．４５ＧＨｚ）の周波数などを利用する。
【００３８】
無線制御部６ｆは、プログラムやデータを記憶するＲＯＭ、データなどを一時記憶するＲＡＭ、プログラムを実行するＣＰＵにより構成され、各部を制御する。
【００３９】
次に、図５、図６および図７を参照しながら、燃料補給システム１の具体的な補給サービスの動作について説明する。
【００４０】
図６は本発明の実施の形態における燃料補給システム１の動作を説明するフローチャート、図７は同燃料補給システム１の車両照合処理を説明するフローチャートである。
【００４１】
図５、図６および図７に示すように、燃料補給システム１はガソリンスタンド１００に来場する車両２を車両検出部４ｈにより検知し（Ｓ１００）、燃料補給装置４の前面に車両２が停止したか否かを検知する（Ｓ１０２）。
【００４２】
燃料補給システム１は、燃料補給装置４の前面に車両２が停止したことを車両検出部４ｈにより検知した後、制御部１０によりシステムの各部を起動させ、燃料補給サービスを開始する。この燃料補給サービスは、車両検出部４ｈにより車両２が検出されている間で継続される。このように、燃料補給システム１は、無人のガソリンスタンド１００であっても、係員が存在しているのと同様に自動的にシステムを起動して燃料補給サービスを開始するので安心してサービスを受けることができ、利用者にとっても利便性がよくなる。
【００４３】
利用者により車両２における補給口部３の蓋３ｂの開閉レバーが操作され、蓋３ｂが開くとリーダライタ６によりＲＦＩＤタグ５を読み取ることができる。すなわち、蓋３ｂは金属なのでこれが開放されないとリーダライタ６によりＲＦＩＤタグ５を読み取ることができないが、蓋３ｂが開放されるとリーダライタ６によりＲＦＩＤタグ５を読み取ることができる。
【００４４】
これにより、補給口３ａのキャップにＲＦＩＤタグ５を取り付ける場合に比べて、車両２の本体に一体化されている蓋３ｂ側にＲＦＩＤタグ５を貼り付けているので取替えが難しく、改造や偽造がされにくい。また、ＲＦＩＤタグ５を蓋３ｂ側に設けることにより燃料が貯蔵される場所から離すことができるので、電子回路の発熱、リークなどによる発火を防止することができ安全性を向上させることができる。
【００４５】
燃料補給システム１は、リーダライタ６によりアンテナ８を介して車両２に取り付けられているＲＦＩＤタグ５を読み取り、識別情報５ｅを取得する（Ｓ１０４）。
【００４６】
そして、利用者が静電気除去装置（図示せず）に手をかざして静電気を除去している間、燃料補給システム１はまず図７に示す車両照合処理を実行する（Ｓ１０６）。
【００４７】
すなわち図７に示すように、燃料補給システム１は通信部１２、ネットワーク１３を介して自動車販売会社１６の管理装置１７、警察署１８の管理装置１９からそれぞれ車両情報を取得する（Ｓ２００）。
【００４８】
次に、燃料補給システム１は、車両照合部４ｉにより、取得された車両情報それぞれと識別情報５ｅの車両特定情報とを照合し、車両情報と車両特定情報とが一致するか否かを判断する（Ｓ２０４）。
【００４９】
車両情報と車両特定情報とが一致（ＹＥＳ）した場合、通信部１２およびネットワーク１３を介して管理装置１７または管理装置１９に燃料補給装置４の所在情報を通報する（Ｓ２１０）。
【００５０】
例えば、管理装置１９から取得された車両情報（例えば盗難車情報）と車両特定情報とが一致（ＹＥＳ）した場合（Ｓ２０６）、燃料補給システム１は、制御部１０により、車両照合部４ｉにより取得された車両情報を制御部１０により読み取り、車両情報に盗難車であることを示す情報が含まれている場合（Ｓ２０６）、入出力部１１を介して補給部４ｂをロックし（Ｓ２０８）、燃料の補給を停止させる。そして、燃料補給システム１は、警察署１８の管理装置１９に燃料補給装置４の所在情報を通報する。また、燃料補給システム１は、制御部１０により表示部４ｄに燃料補給サービスを提供できない旨の警告メッセージを出力し（Ｓ２１２）、燃料補給サービスを停止する。
【００５１】
一方、燃料補給システム１は、管理装置１７から取得された車両情報（例えば修理車情報）と車両特定情報とが一致（ＹＥＳ）しているが盗難車でない場合（Ｓ２０４、Ｓ２０６）、自動車販売会社１６の管理装置１７に燃料補給装置４の所在情報を通報する（Ｓ２１４）。
【００５２】
また燃料補給システム１は、Ｓ２０４で車両情報と車両特定情報とが一致しない場合、またはＳ２１４を実行した場合、制御部１０により、次に操作する指示メッセージを表示部４ｄ、スピーカ４ｇに出力する（Ｓ２１６）。また、燃料補給システム１は表示部４ｄと併用してスピーカ４ｇから音声により操作指示を出力する。
【００５３】
図６に戻り、燃料補給システム１は車両照合処理が実行された後、表示部４ｄに決済処理のメニューを表示する。すなわち、クレジットか現金かを選択させるメニューを表示し、利用者が表示画面に表示された決済メニューを指で触れることで決済処理が完了する（Ｓ１０８）。
【００５４】
次に、同様に、満タンか、指定補給量かの選択を表示部４ｄの表示画面で指定した後、利用者は燃料補給装置４から指定された燃料の種別を示すラベルが上側に貼られたノズル受け部４ｅを選択し、選択された燃料のノズル受け部４ｅから補給ノズル４ａを取り外した後、車両２の補給口３ａに補給ノズル４ａを挿入して燃料を補給する。すなわち、燃料補給装置４は識別情報５ｅの燃料情報から燃料のコード値を検出し、このコード値に基づいて適切な燃料を指定する。例えば、燃料補給装置４は燃料コード値が「０」であればガソリン車両であることを検出し、利用者に「ガソリン」を補給するように表示部４ｄやスピーカ４ｇによりメッセージを伝える。このように、燃料補給装置４は慣れていない者でも燃料種を間違えないように安全に燃料補給サービスを行うことができる。
【００５５】
利用者がノズル操作部４ｆの操作をすると制御部１０が操作入力を検出し、制御部１０が補給部４ｂに補給ノズル４ａに燃料を補給するように指示する。これにより、補給ノズル４ａにより燃料を車両２に補給することができる。また利用者より燃料の補給が開始されると、補給量計測部４ｃにより燃料の補給量を計測する（Ｓ１１０）。制御部１０は利用者が指定した補給量を補給量計測部４ｃにより計測すると補給部４ｂを自動で停止させ、補給を止める（Ｓ１１２）。
【００５６】
次に燃料補給システム１は、ポイント計算部４ｊにより補給量計測部４ｃで計数された補給量に応じてサービスポイント値を算出した後、算出して得たサービスポイント値と識別情報５ｅに記録されている特典情報の発行ポイント値とを加算した新たな発行ポイント値を算出し、ポイント発行部４ｋは新たな発行ポイント値をリーダライタ６を介してＲＦＩＤタグ５の特典情報として書き込みする（Ｓ１１４、Ｓ１１６）。
【００５７】
また燃料補給システム１は、景品指示部４ｍにより、発行ポイント値が景品発行ポイント値以上になったときに景品配布装置９に景品配布の指示を入出力部１１を介して出力する（Ｓ１１８、Ｓ１２０）。景品配布装置９は、景品指示部４ｍからの指示により、洗剤、テッシュペーパなどの景品を配布する。
【００５８】
次に燃料補給システム１は、補給量に応じた決済結果を印刷した伝票を発行し、表示部４ｄに完了メッセージを表示し（Ｓ１２２）、燃料補給サービスを終了する。
【００５９】
以上のように本実施の形態によれば、燃料補給システム１は、車両２に装着したＲＦＩＤタグ５の識別情報をリーダライタ６により読み取って燃料補給サービスをする燃料補給装置４を備え、ＲＦＩＤタグ５は車両２の補給口３ａを保護する蓋３ｂの裏面に設けたので、燃料補給システム１はガソリンスタンド１００に車両２が来場したときに、車両２に取り付けられているＲＦＩＤタグ５を読み取り、ＲＦＩＤタグ５から取得される識別情報５ｅに基づいて燃料補給サービスを制御する。このため、例えば、識別情報５ｅに記録されている車両特定情報、燃料情報、補給情報および特典情報など車両２の燃料補給に係る情報を利用して燃料補給サービスを無人で実行する。これにより、無人のガソリンスタンドであっても利用者にとって利便性をよくすることができる。
【００６０】
さらに、石油元売会社１４、自動車販売会社１６および警察署１８にとっても、ガソリンスタンド１００内に来場する車両２の情報、各油種の補給量の情報などを遠隔から取得して利用することができるので、安定した補給サービスを提供することができ、修理サービス情報の提供など付加サービスを提供することができる。
【００６１】
なお、本実施の形態では、車両２に燃料としてガソリン、軽油を補給する場合について説明したが、これに限定されるものではない。例えば、電気自動車に燃料として電気を補給できるようにしてもよい。この場合、補給ノズル４ａに追加して補給プラグを備える。また、識別情報５ｅの燃料情報として電気の燃料コード値（例えば、コード値３）を追加する。また、燃料として水素を補給する場合も同様に対応することができ、識別情報５ｅの燃料情報として水素の燃料コード値（例えば、コード値４）を追加すればよい。
【００６２】
また、燃料補給システム１は、燃料補給装置４の前面に車両２が停止したことを車両検出部４ｈにより検知した後、制御部１０によりシステムの各部を起動させ、燃料補給サービスを開始するようにしたが、リーダライタ６によりＲＦＩＤタグ５を読み取ることができたときに燃料補給サービスを開始するようにしてもよい。すなわち、蓋３ｂは金属なのでこれが開放されないとリーダライタ６によりＲＦＩＤタグ５を読み取ることができないが、蓋３ｂが開放されるとリーダライタ６によりＲＦＩＤタグ５を読み取ることができることを利用して燃料補給サービスを開始する。利用者が補給口部３の蓋３ｂを開放する行為は、車両２に燃料を補給するための行為を意味し、この蓋３ｂの開閉をトリガにして燃料補給サービスを開始すれば利用者にとってもタイミングがよく、利便性が向上する。
【産業上の利用可能性】
【００６３】
以上のように本発明は、車両に装着したＲＦＩＤタグの識別情報をリーダライタにより読み取って燃料補給サービスをする燃料補給装置を備え、ＲＦＩＤタグは車両の補給口を保護する蓋の裏面に設けたので、ガソリンスタンドなどに車両が来場したときに、車両に取り付けられているＲＦＩＤタグをリーダライタにより読み取り、ＲＦＩＤタグから取得される識別情報に基づいて燃料補給サービスを制御することができ、例えば車両特定情報、車両の燃料情報、補給量や補給場所の補給情報または補給量に応じた特典情報などに応じた燃料補給サービスを無人で行うことができる。これにより、無人のガソリンスタンドであっても利用者にとって利便性をよくすることを可能とする燃料補給システムに有用なものである。
【図面の簡単な説明】
【００６４】
【図１】本発明の実施の形態における燃料補給システムの概略構成図
【図２】同燃料補給システムにおけるＲＦＩＤタグの取り付け位置を示す配置図
【図３】同燃料補給システムにおけるＲＦＩＤタグの構成を示す斜視図
【図４】同燃料補給システムに用いられるＲＦＩＤタグの識別情報の構成図
【図５】同燃料補給システムの回路ブロック図
【図６】同燃料補給システムの動作を説明するフローチャート
【図７】同燃料補給システムの車両照合処理を説明するフローチャート
【符号の説明】
【００６５】
１    燃料補給システム
２    車両
３    補給口部
３ａ    補給口
３ｂ    蓋
４    燃料補給装置
４ａ    補給ノズル
４ｂ    補給部
４ｃ    補給量計測部
４ｄ    表示部
４ｅ    ノズル受け部
４ｆ    ノズル操作部
４ｇ    スピーカ
４ｈ    車両検出部
４ｉ    車両照合部
４ｊ    ポイント計算部
４ｋ    ポイント発行部
４ｍ    景品指示部
５    ＲＦＩＤタグ
５ａ    基板
５ｂ    実装面
５ｃ    タグアンテナ部
５ｄ    タグ回路部
５ｅ    識別情報
６    リーダライタ
６ａ    整合部
６ｂ    サーキュレータ
６ｃ    パワーアンプ
６ｄ    ＲＦフロントエンド部
６ｅ    信号処理部
６ｆ    無線制御部
７    樹脂層
８    アンテナ
９    景品配布装置
１０    制御部
１０ａ，１５ａ，１７ａ，１９ａ    ＤＢ
１１    入出力部
１２    通信部
１３    ネットワーク
１４    石油元売会社
１５，１７，１９    管理装置
１６    自動車販売会社
１８    警察署
１００    ガソリンスタンド
【図１】
2010163187.tif 000003
【図２】
2010163187.tif 000004
【図３】
2010163187.tif 000005
【図４】
2010163187.tif 000006
【図５】
2010163187.tif 000007
【図６】
2010163187.tif 000008
【図７】
2010163187.tif 000009